(57)【要約】【課題】フォーマットの失敗により使用不可能となる光ディスクを減らした光ディスク装置を提供することである。【解決手段】書き換え可能な光ディスクを−ＶＲフォーマット又はビデオフォーマットする光ディスク装置において、書き換え可能な光ディスクを−ＶＲフォーマットすることに失敗した場合、−ＶＲフォーマットしているときに書き込みに失敗したセクタが、ビデオフォーマットでは使用しないセクタである場合に、ビデオフォーマットを実行するか否かのメッセージを出力し、ビデオフォーマットを実行する指示があった場合、ビデオフォーマットを実行する構成とする。【選択図】図４
2007234141.tif 000002
【特許請求の範囲】
【請求項１】
書き換え可能な光ディスクを−ＶＲフォーマット又はビデオフォーマットする光ディスク装置において、
書き換え可能な光ディスクを−ＶＲフォーマットすることに失敗した場合、
−ＶＲフォーマットしているときに書き込みに失敗したセクタが、ビデオフォーマットでは使用しないセクタである場合に、ビデオフォーマットを実行するか否かのメッセージを出力し、
ビデオフォーマットを実行する指示があった場合、ビデオフォーマットを実行することを特徴とする光ディスク装置。
【請求項２】
書き換え可能な光ディスクを−ＶＲフォーマット又はビデオフォーマットする光ディスク装置において、
書き換え可能な光ディスクを−ＶＲフォーマットすることに失敗した場合、ビデオフォーマットを実行することを特徴とする光ディスク装置。
【請求項３】
−ＶＲフォーマットしているときに書き込みに失敗したセクタが、ビデオフォーマットでは使用しないセクタである場合に、ビデオフォーマットを実行することを特徴とする請求項２記載の光ディスク装置。
【請求項４】
前記−ＶＲフォーマットすることに失敗した場合、ビデオフォーマットを実行する前に、ビデオフォーマットを実行するか否かの指示を受け付けることを特徴とする請求項２記載の光ディスク装置。
【発明の詳細な説明】
【技術分野】
【０００１】
本発明は、書き換え可能な光ディスクを−ＶＲフォーマット又はビデオフォーマットする光ディスク装置に関する。
【背景技術】
【０００２】
近年、家庭でのテレビ放送の録画媒体や映画などの映像記録媒体としては、ビデオテープに代わりＤＶＤ等の光ディスクが用いられるようになっている。光ディスクは記録したデータファイルへのアクセスを容易にするため、データをファイル形式で記録している。この際、これらのデータファイルを管理するために、一般的にファイルシステムと呼ばれる管理方法を用いている。ＤＶＤではＵＤＦ（Universal Disc Format）と呼ばれるファイルシステムが広く用いられている。
【０００３】
そしてＤＶＤへの記録フォーマットは、ビデオレコーディングフォーマット（以下、ＶＲフォーマットと記す）とビデオフォーマットの２つが規定されている。ＶＲフォーマットには−ＶＲフォーマットと＋ＶＲフォーマットとがある。ここでは、−ＶＲフォーマットについて説明する。−ＶＲフォーマットは論理的な記録フォーマットとしてＵＤＦ２．０規格に基づくボリューム情報とファイルシステム情報により、記録されるユーザ情報が管理されるようになっており、実時間に沿って情報本体（VR_MOVIE.VROファイル）及び再生制御情報（VR_MANGR.IFOファイル）が生成され、それらが独立したファイルとして記録されるため、テレビ放送などの実時間に沿って記録するのに適した記録フォーマットである。この記録方式では、映像などの情報をユーザが記録したとき、そのユーザが記録した情報を管理するためのファイルストラクチャーが頻繁に書き換えられる。また、必要に応じてボリュームストラクチャーも書き換えられる。そのためボリュームストラクチャーとファイルストラクチャーを使って、記録した情報を再生することが可能である。
【０００４】
これに対して、ビデオフォーマットは論理的な記録フォーマットとしてＵＤＦブリッジが使用され、ファイナライズすると再生専用のＤＶＤと同じフォーマットになる記録フォーマットで、記録すべき情報の再生態様を制御するための再生制御情報（ＤＶＤの規格ではナビゲーション情報と呼ぶ）を情報本体（コンテンツ）との対応関係を考慮しつつ作成し、作成した再生制御情報とその再生制御情報に対応する情報本体とをまとめて、光ディスク上に記録しなければならない。そのため、この記録方式はテレビ放送などの実時間に沿った記録に適した記録フォーマットではない。
【０００５】
例えばＤＶＤ−ＲＷは、２つの記録フォーマットに対応し、書き換え可能な記録媒体のため、同一フォーマット上で、記録、消去を行うこともできるし、同一フォーマットに初期化、或いは別のフォーマットに初期化することも可能である。
【０００６】
フォーマットに関しては様々な技術が開示されている。例えば、特許文献１には、入力されたビデオオーディオデータについて、DVD-Videoフォーマット情報発生部、DVD-VRフォーマット情報発生部、DVD+VRフォーマット情報発生部、DVD-HDVRフォーマット情報発生部及びBRDフォーマット情報発生部において、互いに異なるフォーマットで規定された時刻あるいは記録位置に関する情報を発生させ、記録フォーマット化部において、これらの情報を入力されたビデオオーディオデータに付与し、ビデオオーディオデータをマルチフォーマット化してハードディスクまたはＤＶＤに記録する映像記録装置が開示されている。
【０００７】
また例えば、特許文献２には、ＶＲフォーマットしたディスクをビデオフォーマットで初期化し直すときには、COMMONファイルを引き継いで初期化を行うようにする記録装置が開示されている。更に、ビデオフォーマットで記録したディスクをＶＲフォーマットで記録し直すときも同様で、COMMONファイルを引き継ぎ、ＶＲフォーマットで初期化を行うようにしている。
【０００８】
また例えば、特許文献３のデータ記録方法では、ファイルシステムは各フォーマット別にディレクトリを形成し、各フォーマット別のディレクトリはそのフォーマットのデータに関する情報（タイトル、開始アドレス、フォーマット種類、サイズなど）を含んでいる。
【特許文献１】特開２００４−３５７２７５号公報
【特許文献２】特開２００４−１９９７８７号公報
【特許文献３】特開２００４−９５１５２号公報
【発明の開示】
【発明が解決しようとする課題】
【０００９】
ところで、フォーマット中にセクタへの書き込みに失敗することがあり、フォーマットに失敗することがある。これにはいくつかの要因が考えられ、例えば、光ディスクの製造時の欠陥や、光ディスクの書き込み面に傷や汚れが付いていることによる書き込み失敗が一般的である。
【００１０】
ここで、書き換え可能な光ディスクを用いる場合、特許文献１〜３を含め従来の光ディスク装置では、フォーマットに失敗した場合はファイルシステムが作成されていないため、そのディスクは使用不可能となっていた。但し、ビデオフォーマットの場合は、ファイルシステムがなくても、各装置固有の識別子情報が書き込まれていれば、その装置では録画・再生が可能であった。
【００１１】
そこで本発明は、−ＶＲフォーマットに失敗した場合でもビデオフォーマットし直すことにより、使用不可能となる光ディスクを減らした光ディスク装置を提供することを目的とする。
【課題を解決するための手段】
【００１２】
上記目的を達成するために本発明は、書き換え可能な光ディスクを−ＶＲフォーマット又はビデオフォーマットする光ディスク装置において、
書き換え可能な光ディスクを−ＶＲフォーマットすることに失敗した場合、ビデオフォーマットを実行することを特徴とする。
【００１３】
この構成によると、ビデオフォーマットは失敗しない可能性がある。またビデオフォーマットのファイルシステムの書き込みの失敗ならば、本装置ではその光ディスクを使用可能である。
【００１４】
上記の光ディスク装置において、−ＶＲフォーマットしているときに書き込みに失敗したセクタが、ビデオフォーマットでは使用しないセクタである場合に、ビデオフォーマットを実行することを特徴とする。
【００１５】
この構成によると、書き込みに失敗したセクタは使用しないので、ビデオフォーマットに成功する確率が高い。
【００１６】
また上記の光ディスク装置において、前記−ＶＲフォーマットすることに失敗した場合、ビデオフォーマットを実行する前に、ビデオフォーマットを実行するか否かの指示を受け付けることを特徴とする。
【００１７】
この構成によると、ユーザの指示によりビデオフォーマットするので、ユーザの意志を反映することができる。
【００１８】
上記の本発明を具体化すると、書き換え可能な光ディスクを−ＶＲフォーマット又はビデオフォーマットする光ディスク装置において、
書き換え可能な光ディスクを−ＶＲフォーマットすることに失敗した場合、
−ＶＲフォーマットしているときに書き込みに失敗したセクタが、ビデオフォーマットでは使用しないセクタである場合に、ビデオフォーマットを実行するか否かのメッセージを出力し、
ビデオフォーマットを実行する指示があった場合、ビデオフォーマットを実行する構成となる。
【発明の効果】
【００１９】
本発明によれば、−ＶＲフォーマットに失敗した場合でもビデオフォーマットし直すことにより、使用不可能となる光ディスクを減らすことができる。
【発明を実施するための最良の形態】
【００２０】
図１は、光ディスク装置の構成及びその周辺機器を示すブロック図である。光ディスク装置１０には、テレビ等の表示装置１１やビデオデッキ等の外部装置１２が接続される。また光ディスク装置１０は、リモコン１３によって操作可能である。以下、光ディスクとしてＤＶＤを例に説明する。
【００２１】
光ディスク装置１０は、テレビ放送信号を受信するアンテナ１５と、アンテナ１５で受信したテレビ放送信号を復調、デジタル化するチューナ１６と、チューナ１６から受け取った画像音声データをＭＰＥＧ２等に準拠して圧縮符号化したり、ＤＶＤ記録再生部１９で再生された圧縮された画像データを伸長復号したりする画像音声圧縮伸長部１７と、画像音声圧縮伸長部１７から受け取った圧縮された画像音声データを記録したり、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、光ディスク装置１０の各部を制御する制御部２６とを備えている。
【００２２】
また、制御部２６は、挿入されているＤＶＤをフォーマットする制御も行う。そのフォーマットは−ＶＲフォーマット又はビデオフォーマットのどちらにも対応している。
【００２３】
上記の光ディスク装置１０において、ユーザによりＤＶＤへの録画が指示された場合の録画動作について説明する。アンテナ１５で受信されたテレビ放送信号はチューナ１６で復調、デジタル化され、画像音声データが画像音声圧縮伸長部１７に送信される。画像音声圧縮伸長部１７は画像音声データをＭＰＥＧ２等に準拠して圧縮符号化し、ＤＶＤ記録再生部１９に送信し、ＤＶＤに圧縮された画像音声データを記録する。
【００２４】
次に、フォーマットの概要について説明する。まず−ＶＲフォーマットで使用するファイルであるＵＤＦ２．０について簡単に説明する。ＵＤＦ２．０は、ボリュームレベルの管理情報とファイルシステムレベルの管理情報に分かれている。アドレスの指定方法は２種類あり、１つは、ボリュームレベルの管理情報の先頭を０とするロジカルセクタナンバー（ＬＳＮ）と、ボリュームレベルの管理情報を除いたパーティション内のアドレスを指定するロジカルブロックナンバー（ＬＢＮ）がある。
【００２５】
図２に、−ＶＲフォーマットのデータ構造の例を示す。ボリュームストラクチャーはＬＳＮ＝０〜８５７５までに記述され、ファイルストラクチャーはＬＳＮ＝８５７６〜８７３０までに記述される。これらボリュームストラクチャーとファイルストラクチャーとを合わせてファイルシステムと呼ぶ。
【００２６】
一方、ビデオフォーマットにはファイナライズすると再生専用のＤＶＤと同じフォーマットになるＵＤＦブリッジが使用されている。図３にビデオフォーマットのデータ構造の例を示す。ボリュームストラクチャーはＬＳＮ＝０〜２５６までに記述され、ファイルストラクチャーはＬＳＮ＝２５７〜ｐ＋ｑ−１までに記述される。これらボリュームストラクチャーとファイルストラクチャーとを合わせてファイルシステムと呼ぶ。ビデオフォーマットのファイルシステムはユーザがファイナライズを指示したときに記録される。
【００２７】
次に、光ディスク装置１０でフォーマットする手順について説明する。本発明は、−ＶＲフォーマットに失敗した場合にビデオフォーマットすることを特徴としているので、この手順について説明する。図４は、本発明のフォーマットの流れを示すフローチャートである。ユーザにより−ＶＲフォーマットの実行指示があると、ステップＳ１０においてファイルシステムの書き込みを開始する。そしてステップＳ１１へ進んで、書き込み中に書き込みに失敗していないかを監視する。
【００２８】
ステップＳ１１において書き込みに失敗したことが検出された場合、ステップＳ１２へ進んで書き込みに失敗したセクタがビデオフォーマットでは使用しないセクタであるか否かを判定する。ステップＳ１２において書き込みに失敗したセクタがビデオフォーマットでは使用しないセクタであった場合は、ビデオフォーマット可能と判断し、ステップＳ１３へ進んでビデオフォーマットを実行するか否かのメッセージを出力し、表示装置１１に表示させる。
【００２９】
ステップＳ１３からステップＳ１４へ進んで、ビデオフォーマットを実行するか否かのユーザからの指示を受け付ける。ステップＳ１４においてビデオフォーマットを実行する指示があった場合、ステップＳ１５へ進んでビデオフォーマットを実行した後、処理を終了する。この段階では本光ディスク装置１０独自のファイルである識別子情報などを書き込む。ビデオフォーマットのファイルシステムはファイナライズ後に書き込まれる。
【００３０】
一方、ステップＳ１１において書き込みに失敗したことが検出されなかった場合は、−ＶＲフォーマットに成功しているので処理を終了する。またステップＳ１２において書き込みに失敗したセクタがビデオフォーマットで使用するセクタであった場合は、ビデオフォーマットしても同じセクタで書き込みに失敗するので処理を終了し、使用不可能なディスクとして扱う。なお、ステップＳ１２は必ずしも必要ではなく、ステップＳ１１で書き込みに失敗した場合はステップＳ１３へ進むようにしてもよい。但し、ステップＳ１５でビデオフォーマットに失敗する確率は高くなる。
【００３１】
またステップＳ１４においてビデオフォーマットを実行しない指示があった場合、処理を終了し、使用不可能なディスクとして扱う。なお、ステップＳ１４は必ずしも必要ではなく、ステップＳ１３で「−ＶＲフォーマットに失敗したのでビデオフォーマットします」等の表示をした後、ステップＳ１５へ進むようにしてもよい。
【００３２】
図４の処理において、−ＶＲフォーマットに失敗してビデオフォーマットした場合は、録画終了後にユーザはファイナライズを指示する必要がある。ファイナライズが指示されると、ビデオフォーマットのファイルシステムを書き込む。これでこのディスクは他の装置でも読むことができる。もし、ファイルシステムの書き込みに失敗すれば、表示装置１１に「ファイルシステムの書き込みに失敗しました」と表示し、ファイルシステムの書き込みを断念する。ビデオフォーマットにおいてファイルシステムが書き込まれていないと他の装置で読み込むことはできないが、図４のステップＳ１５で識別子情報が書き込まれているので本光ディスク装置１０では読むことができる。
【００３３】
例えば図４の処理において、ステップＳ１１で書き込みに失敗したセクタがＬＳＮ＝６７〜２５５であった場合、これらのセクタはビデオフォーマットのファイルシステムでは使用しないセクタであるので、ビデオフォーマットが可能であると判断できる。
【００３４】
また、ステップＳ１１において、ビデオフォーマットのファイルシステムで必要な部分に相当するセクタで書き込みに失敗しても、ステップＳ１２においてビデオフォーマットでは使用しないセクタであると判断するようにしてもよい。何故なら、ビデオフォーマットされたディスクは、識別子情報が書き込まれてあればファイルシステムがなくても本光ディスク装置１０では読み込むことができるからである。この場合、ステップＳ１２の判断においては、識別子情報が書き込まれるセクタ（例えば、ＬＳＮ＝１２２８８）までのセクタであれば−ＶＲフォーマットの際に書き込みに失敗してもよいということになる。但し、ファイルシステムが書き込まれていないディスクはファイナライズできていないということなので他の装置では読み込むことはできない。
【００３５】
以上のように、光ディスク装置１０で−ＶＲフォーマットに失敗した場合、ビデオフォーマットにし直すことにより、使用不可能となる光ディスクを減らすことができる。
【産業上の利用可能性】
【００３６】
本発明は、ＤＶＤ−ＲＷ、ＤＶＤ−ＲＡＭ等の−ＶＲフォーマットに対応した書き換え可能な光ディスクをフォーマットする光ディスク装置に利用することができる。
【図面の簡単な説明】
【００３７】
【図１】光ディスク装置の構成及びその周辺機器を示すブロック図である。
【図２】−ＶＲフォーマットのデータ構造の一例である。
【図３】ビデオフォーマットのデータ構造の一例である。
【図４】フォーマットの流れを示すフローチャートである。
【符号の説明】
【００３８】
１０    光ディスク装置
【図１】
2007234141.tif 000003
【図２】
2007234141.tif 000004
【図３】
2007234141.tif 000005
【図４】
2007234141.tif 000006